(57)【要約】【課題】  呼出スイッチを遊技機、遊技機島、或いは、その周辺機器と独立させ、それらの機器を使用する遊技者の近辺に容易に配置することによって、呼出器が故障した場合等において、その修理、交換が容易で、しかも周辺機器の移動、交換時に特にそれらの機器と関係させて移動、交換する必要もなく、従って、改めて新規に設ける必要のない経済的に優れたスタンド型呼出器を提供するものである。【解決手段】  本発明においては、支持板と、前記支持板に立脚した中空の支柱と、該支柱上部に設けられた筐体と、前記筐体に配設された呼出スイッチとを備えたものである。【選択図】  図１
2005334604.tif 000002
【特許請求の範囲】
【請求項１】
支持板と、
前記支持板に立脚した中空の支柱と、
該支柱上部に設けられた筐体と、
前記筐体に配設された呼出スイッチとを備えた
ことを特徴とする、スタンド型呼出器。
【請求項２】
請求項１項に記載のスタンド型呼出器において、
前記呼出スイッチを操作面が筐体外面に望むように、該筐体内部上面に配設した
ことを特徴とする、スタンド型呼出器。
【請求項３】
請求項１項または請求項２項に記載のスタンド型呼出器において、
前記呼出スイッチを長矩形の板材の両端を折曲して凹部を形成した取付けブラケットの該凹部に収納するとともに、
該取付けブラケットの一方の折曲片を前記筐体内部先端に形成した掛止凹部に係合し、他方の折曲片を前記筐体内部後端に形成した取付部に固定することによって、前記呼出スイッチを取付けブラケットと筐体で挟持した
ことを特徴とする、スタンド型呼出器。
【請求項４】
請求項１項乃至請求項３項に記載のいずれかのスタンド型呼出器において、
前記呼出スイッチは、電源を内蔵するとともに、前記筐体に取付けられた状態で前記支柱に着脱可能に取付けた
ことを特徴とする、スタンド型呼出器。
【請求項５】
請求項１項乃至請求項３項に記載のいずれかのスタンド型呼出器において、
前記筐体底壁に前記支柱の中空部分に連通する挿通孔を形成し、該挿通孔を介して、前記呼出スイッチを外部電源に接続した
ことを特徴とする、スタンド型呼出器。
【請求項６】
請求項１項または請求項４項に記載のスタンド型呼出器において、
上壁に呼出スイッチの嵌合孔を形成した筐体と、
前記下方に開口した箱状のスイッチケースと、前記スイッチケースに配設されたスイッチ基板と、独立した電源を備えた呼出スイッチと、
前記スイッチケースの開口に嵌合するストッパー片を固着したブラケットとを有し、
前記スイッチケースの開口を前記ストッパー片に嵌合するとともに、前記スイッチケースの操作面を嵌合孔に臨ませた状態で前記呼出スイッチを筐体に挟持した
ことを特徴とする、スタンド型呼出器。
【請求項７】
請求項１項または請求項６項に記載のスタンド型呼出器において、
前記呼出スイッチの操作信号を、遠隔配置された受信機に送信した
ことを特徴とする、スタンド型呼出器。
【発明の詳細な説明】
【技術分野】
【０００１】  本発明は、スタンド型呼出器、特に、遊技場において、プレーヤがホールスタッフを呼出すために用いるスタンド型呼出器に関する。
【背景技術】
【０００２】  一般的に、遊技場には、単独の遊技機を多数配置したり、多数の遊技機を並列に配設した遊技機島を複数設置したりされていた。そして、これらの遊技機、遊技機島には、それらの機器、或いは周辺機器にトラブルが発生した場合や店員に用事がある場合等に店員を呼出すための呼出器が機器或いはその周辺に備えられていた。例えば、実開平４−２５７８４号のように遊技機島の上部或いは特開平８−２１５４０３号のように椅子に取付けられていた。【０００３】  しかしながら、上述した呼出器は、いずれも、遊技機、遊技機島、或いは、その周辺機器に固定されていたため、呼出器が故障した場合等で修理、交換することが比較的煩わしく、しかも遊技機、遊技機島、或いは、その周辺機器の移動、交換時には併せて移動、交換する必要があり、経済的に不利であった。【０００４】  この出願の発明に関連する先行技術文献としては次のものがある。
【特許文献１】実開平４−２５７８４号公報
【特許文献２】特開平８−２１５４０３号公報
【発明の開示】
【発明が解決しようとする課題】
【０００５】  本発明は、上記の従来技術が有する問題を解決するためになされたものであり、その目的は、呼出スイッチを遊技機、遊技機島、或いは、その周辺機器と独立させ、それらの機器を使用する遊技者の近辺に容易に配置することによって、呼出器が故障した場合等において、その修理、交換が容易で、しかも周辺機器の移動、交換時に特にそれらの機器と関係させて移動、交換する必要もなく、従って、改めて新規に設ける必要のない経済的に優れたスタンド型呼出器を提供するものである。
【課題を解決するための手段】
【０００６】  上記課題を解決するため、本発明においては、支持板と、前記支持板に立脚した中空の支柱と、該支柱上部に設けられた筐体と、前記筐体に配設された呼出スイッチとを備えた
ものである。【０００７】  上記のように、呼出器を遊技機、遊技機島、或いは、その周辺機器と独立させて構成することにより、遊技者の近辺に容易に配置することができ、しかも、呼出器が故障した場合等の修理、交換が容易で、かつ周辺機器の移動、交換時にそのまま再度使用することができる等経済的であるばかりか遊技機、遊技機島、或いは、その周辺機器に電気的な悪影響を与える恐れがない。【０００８】  次の発明は、前記呼出スイッチを操作面が筐体外面に望むように、該筐体内部上面に配設したものである。【０００９】  このことにより、不正に呼出スイッチが操作される恐れがなく、しかも呼出スイッチの操作面が突起することがなく、更に、呼出スイッチを取付けるための金属ねじが不要となり、呼出スイッチの取付けに起因する電気的不良を防止することができ安全性にも優れている。【００１０】  次の発明は、呼出スイッチを長矩形の板材の両端を折曲して凹部を形成した取付けブラケットの該凹部に収納するとともに、該取付けブラケットの一方の折曲片を前記筐体内部先端に形成した掛止凹部に係合し、他方の折曲片を前記筐体内部後端に形成した取付部に固定することによって、前記呼出スイッチを取付けブラケットと筐体で挟持したものである。【００１１】  このことにより、呼出スイッチに取付け跡等が残ることがなく、他の呼出器に転用でき、また、単体として再利用することが可能となる。【００１２】  次の発明は、前記呼出スイッチは、電源を内蔵するとともに、前記筐体に取付けられた状態で前記支柱に着脱可能に取付けたものである。【００１３】  このことにより、呼出スイッチを取付けた筐体を他の遊技機、遊技機島、或いは周辺機器に直接組付けることにより、汎用性を向上させることができ、より経済的効果を増すことができる。【００１４】  次の発明は、前記筐体底壁に前記支柱の中空部分に連通する挿通孔を形成し、該挿通孔を介して、前記呼出スイッチを外部電源と接続したものである。【００１５】  このことにより、呼出スイッチの電源を外部から取ることができ、更に汎用性を持たすことができる。【００１６】  次の発明は、上壁に呼出スイッチの嵌合孔を形成した筐体と、前記下方に開口した箱状のスイッチケースと、前記スイッチケースに配設されたスイッチ基板と、独立した電源を備えた呼出スイッチと、前記スイッチケースの開口に嵌合するストッパー片を固着したブラケットとを有し、前記スイッチケースの開口を前記ストッパー片に嵌合するとともに、前記スイッチケースの操作面を嵌合孔に臨ませた状態で前記呼出スイッチを筐体に挟持したものである。【００１７】  このことにより、呼出スイッチの移動を確実に規制するとともに、スイッチケースの開放側の蓋部材を削減することができる。【００１８】  次の発明は、前記呼出スイッチの操作信号を、遠隔配置された受信機に送信したものである。【００１９】  このことにより、複数のスタンド型呼出器を集中管理することを可能とするばかりか、該受信機を係員に携帯させることによって、遊技者の要求に迅速に対応することも可能となる。
【発明の効果】
【００２０】  以上のように、本発明によれば、支持板と、前記支持板に立脚した中空の支柱と、該支柱上部に設けられた筐体と、前記筐体に配設された呼出スイッチとを備えることによって、呼出器を遊技機、遊技機島、或いは、その周辺機器と独立させて構成することにより、遊技者の近辺に容易に配置することができ、しかも、呼出器が故障した場合等の修理、交換が容易で、かつ周辺機器の移動、交換時にそのまま再度使用することができる等経済的であるばかりか遊技機、遊技機島、或いは、その周辺機器に電気的な悪影響を与える恐れがない。
【発明を実施するための最良の形態】
【００２１】  以下、本発明を実施するための最良の形態を、図面に基づいて説明する。図１は、本発明の実施例に係わるスタンド型呼出器の側面図である。図２は、図１のＡ−Ａ矢視図、図３は、図１のＢ−Ｂ矢視図、図４は、筐体部分を示した一部切り欠いた斜視図、図５は、本発明のブラケットを示したもので、（ａ）は、側面図、（ｂ）は、裏面図、第６図は、呼出スイッチを示したもので、（ａ）は、側面図、（ｂ）は、裏面図、（ｃ）は、上面図である。【００２２】  本発明のスタンド型呼出器１００は、支持板５に立脚した支柱１と、該支柱１の上端面１１に着脱可能に載置された筐体２と、該筐体２の内部２１にブラケット３を介して挟持された呼出スイッチ４と、支柱１と筐体２の背面開口１２と２２を塞ぐカバー６と、カバー６を介して筐体２の背面開口２２近傍に取付けられた表示板７とより構成されている。【００２３】  支柱１は、図１乃至図３に示すように、金属性の板材を板金加工等で先端（図１、図２、図３において左方向を指す）に円弧状の突部１３を形成するとともに、該突部１３の開放側に各々側壁１４，１５を連続して形成している。いわゆる横断面Ｕ字形状を成している。そして、上端面１１から支持板５方向に窄んだ形状をしている。【００２４】  この支柱１には、その横断面Ｕ字形状の背面開口１２側に、上端側を前方に折曲して形成された固着片１６を有する補強板１７が固着され、かつ、下端面には、支持板５の取付け板１８が取付けられている。【００２５】  筐体２は、図１、図４に示すように、合成樹脂製の成型品で、支柱１の突部１３と連続性を有する円弧状の突部２３と該突部２３の開放側に各々帆形状の側壁２４，２５と背面開口２２を有する横断面Ｕ字形状の箱状に形成され、内部２１に空間を画成している。そして、下壁２６には、下方に突出した横断面Ｕ字形状の嵌合壁２７を形成するとともに略中央に挿通孔２８を設けている。また、上壁２９は、背面開口２２から突部２３側に下り傾斜しており、超矩形の呼出スイッチ４の嵌合孔２９ａを形成している。この嵌合孔２９ａの前端縁内方には、ブラケット３の掛止凹部２９ｂが形成され、背面開口２２側端部には、ブラケット３の取付け部である固定用ボス２９ｃが突設されている。【００２６】  ブラケット３は、図４、図５に示すように、超矩形の金属板の前後両端を各々上方に折曲して押さえ片３１と折曲片３２、３３を形成している。前端の折曲片３２は、押さえ片３１に対して略垂直に折曲され、更に、その端縁を斜め前方に折曲して掛止凹部９ｂに掛止される掛止片３２ａを形成している。また、後端の折曲片３３は、押さえ片３１に対して斜め上後方に折曲されている。一方押さえ片３１の上面には、後述する呼出スイッチ４の水平方向の動きを規制するストッパー片３４が溶接等の任意の工法で固着されている。【００２７】  呼出スイッチ４は、図４、図６に示すように、下方に開口４１ａを有する長矩形の箱状に形成されたスイッチケース４１と、該スイッチケース４１の内部に配設されたスイッチ基板４２と、乾電池よりなる電源４３を備えている。そして、該スイッチケース４１の上壁４１ｂには、スイッチの操作部４１ｃが形成されている。更に、開口４１ａの内周縁には、前���したブラケット３に固着されたストッパー片３４の掛止段部４１ｄが形成されている。尚、電源４３を乾電池に替えて外部からハーネスを介してスイッチ基板に接続することも可能である。【００２８】  上記の呼出スイッチ４は、図４に示すようにして筐体２の内部２１に配設される。先ず、スイッチケース４１の開口４１ａをブラケット３に固着されたストーパー片３４に嵌合することによってブラケット３の押さえ片３１上に水平方向の移動を規制された状態に配設される。次に、この呼出スイッチ４とブラケット３のサブアッシィ体を筐体２の背面開口２２から筐体２の内部２１に挿入する。そして、ブラケット３の前端に形成された折曲片３２の斜め前方に折曲された掛止片３２ａを筐体２に内部２１に形成した掛止凹部９ｂに圧入する。次に、掛止片３２ａを掛止凹部９ｂに圧入した部分を中心として、上方（矢印イの方向）に回転させ、スイッチケース４１の上壁４１ｂを嵌合孔２９ａに臨ませる。この時にブラケット３の折曲片３３は、筐体２の後端に突設した固定用ボス２９ｃに当接する。そして、折曲片３３と固定用ボス２９ｃをスクリュー２９ｄで固定する。尚、電源の交換は、スクリュー２９ｄを外し、ブラケット３を下方（矢印ロ方向）に回転させ、呼出スイッチ４をブラケット３から取外して行なう。【００２９】  更に、呼出スイッチの操作信号を遠隔配置された受信機（図示しない）或いは該受信機を携帯した係員に送信させることによって、複数のスタンド型呼出器を集中管理することを可能とするばかりか、遊技者の要求に迅速に対応することができる。
【図面の簡単な説明】
【００３０】
【図１】本発明の実施例に係わるスタンド型呼出器の側面図である。
【図２】図１のＡ−Ａ矢視図である。
【図３】図１のＢ−Ｂ矢視図である。
【図４】筐体部分を示した一部切り欠いた斜視図である。
【図５】本発明のブラケットを示したもので、（ａ）は、側面図、（ｂ）は、裏面図である。
【図６】呼出スイッチを示したもので、（ａ）は、側面図、（ｂ）は、裏面図、（ｃ）は、上面図である。
【符号の説明】
【００３１】１００…スタンド型呼出器
１…支柱
１１…上端面
１２…（支柱の）背面開口
１３…突部
１４，１５…側壁
１６…固着片
１７…補強板
１８…取付け板
２…筐体
２１…内部
２２…（筐体の）背面開口
２３…突部
２４，２５…側壁
２６…下壁
２７…嵌合壁
２８…挿通孔
２９…上壁
２９ａ…嵌合孔
２９ｂ…掛止凹部
２９ｃ…固定用ボス
２９ｄ…スクリュー
３…ブラケット
３１…押さえ片
３２、３３…折曲片
３２ａ…掛止片
３４…ストッパー片
４…呼出スイッチ
４１…スイッチケース
４１ａ…開口
４１ｂ…上壁
４１ｃ…操作部
４１ｄ…掛止段部
４２…スイッチ基板
４３…電源
５…支持板
６…カバー
７…表示板
【図１】
2005334604.tif 000003
【図２】
2005334604.tif 000004
【図３】
2005334604.tif 000005
【図４】
2005334604.tif 000006
【図５】
2005334604.tif 000007
【図６】
2005334604.tif 000008